(57)【要約】【課題】戸当たり材の着脱が不要で、指詰めが生じた場合にも、引戸扉から受ける衝撃を吸収し、大きな怪我になること防止することができる引戸装置を提供すること。【解決手段】出入り口に配置される引戸扉４と、引戸枠部材２と、引戸枠部材２の一側に形成され、引戸扉４を収納する戸袋３と、引戸枠部材２の戸先側竪枠２ａに引戸扉４の戸先部分４ａが進入する戸先部分収容空間５を形成した引戸装置において、戸先側竪枠２ａに、竪枠の高さ方向全長に亘って、弾性部材１０を介して蓋６を取り付け、蓋６によって戸先部分収容空間５の入口５ａを閉鎖するようにする。【選択図】図２
2008081987.tif 000002
【特許請求の範囲】
【請求項１】
出入り口に配置される引戸扉と、引戸枠部材と、該引戸枠部材の一側に形成され、引戸扉を収納する戸袋と、前記引戸枠部材の戸先側竪枠に引戸扉の戸先部分が進入する戸先部分収容空間を形成した引戸装置において、前記戸先側竪枠に、竪枠の高さ方向全長に亘って、弾性部材を介して蓋を取り付け、該蓋によって戸先部分収容空間の入口を閉鎖するようにしたことを特徴とする引戸装置。
【請求項２】
弾性部材が、バネ部材及び枢着部材からなることを特徴とする請求項１記載の引戸装置。
【請求項３】
蓋を、戸先部分収容空間内で、引戸扉の走行方向と平行に移動可能に配設したことを特徴とする請求項１記載の引戸装置。
【発明の詳細な説明】
【技術分野】
【０００１】
本発明は、引戸装置に関し、特に、開口巾よりも大きい引戸扉を簡単に取り付けることができる引戸装置に関するものである。
【背景技術】
【０００２】
従来の引戸装置の例を図５〜図６に示す。
この引戸装置２０は、引戸枠部材２と、引戸枠部材２の一側に形成された戸袋３内に収納される引戸扉４と、戸袋３とより構成される。
通常、この種の引戸装置３０の場合、施工後に引戸扉４が全閉状態で、引戸扉４と戸袋３の入口の方立２ｂとの間に隙間が生じることを防止するために、戸先側竪枠と戸袋３の入口の方立２ｂとの間の開口部分の横幅Ｗよりも、引戸扉４の横幅Ｌの方が大きくなるように設計されている。
このため、引戸扉４の取り付けに際しては、戸袋３の入口の方立２ｂのうち、居室側又は廊下側の方立２ｂを取り付ける前に、引戸扉４を取り付け、その後、方立２ｂを取り付ける方法が採用されていた。
【０００３】
しかしながら、上記方法では、施工後に引戸扉４を取り外す必要が生じた場合、作業が繁雑となることから、図６に示すような引戸装置３０が提案されている（例えば、特許文献１参照）。
この引戸装置３０は、引戸扉４を引戸枠部材２に組み込むときに、図６（ａ）に示すように、引戸扉４を開口部分に対して斜めから挿入し、戸先側竪枠２ａ間に設けた戸先部分収容空間５に進入させ、引戸扉４の戸尻側が開口部分に入った後、図６（ｂ）に示すように、一旦、戸袋３内に引戸扉４を進入させる。
この際、引戸扉４が上吊り式の場合には、引戸枠部材２の上枠近傍に配設した走行用レール（図示省略）に、また、下レール方式の場合には、戸先側竪枠２ａと戸袋３入口の方立２ｂとの下部を連結する走行用レール（図示省略）に、引戸扉４に配設した戸車（図示省略）を載置するようにしている。
その後、図６（ｃ）に示すように、戸当たり材９を戸先側竪枠２ａの高さ方向全長に亘って配設し、引戸扉４の閉鎖時に戸尻側に隙間が生じないように調整している。
【０００４】
しかしながら、引戸扉４を引戸枠部材２内に取り付けた後に配設する戸当たり材９は、戸先側竪枠２ａの高さ方向全長に亘って配設する必要があり、上下で位置ずれが生じると明かり漏れが生じる問題が生じるとともに、引戸扉４を取り外す必要が生じたときには、戸当たり材９を戸先側竪枠２ａから取り外さなければならず、着脱の際に戸当たり材９によって壁や床を傷つけるという問題があった。
また、戸当たり材９は、戸先側竪枠２ａに固定されているため、引戸扉４の開閉の際に指詰めを起こした場合に、引戸扉４から受ける衝撃のすべてが挟まった指にかかり、怪我の要因になるという問題があった。
【特許文献１】特許第３３６００６７号公報
【発明の開示】
【発明が解決しようとする課題】
【０００５】
本発明は、上記従来の引戸装置の有する問題点に鑑み、戸当たり材の着脱が不要で、指詰めが生じた場合にも、引戸扉から受ける衝撃を吸収し、大きな怪我になること防止することができる引戸装置を提供することを目的とする。
【課題を解決するための手段】
【０００６】
上記目的を達成するため、本発明の引戸装置は、出入り口に配置される引戸扉と、引戸枠部材と、該引戸枠部材の一側に形成され、引戸扉を収納する戸袋と、前記引戸枠部材の戸先側竪枠に引戸扉の戸先部分が進入する戸先部分収容空間を形成した引戸装置において、前記戸先側竪枠に、竪枠の高さ方向全長に亘って、弾性部材を介して蓋を取り付け、該蓋によって戸先部分収容空間の入口を閉鎖するようにしたことを特徴とする。
【０００７】
この場合において、弾性部材を、バネ部材及び枢着部材から構成することができる。
【０００８】
また、蓋を、戸先部分収容空間内で、引戸扉の走行方向と平行に移動可能に配設することができる。
【発明の効果】
【０００９】
本発明の引戸装置によれば、戸先側竪枠に、竪枠の高さ方向全長に亘って、弾性部材を介して蓋を取り付け、該蓋によって戸先部分収容空間の入口を閉鎖するようにしているので、引戸扉を引戸枠部材内に取り付けた後に、別途戸当たり材を取り付ける必要がなく、引戸扉の着脱が容易で、戸当たり材によって壁や床を傷つけることもない。
また、蓋は弾性部材によって付勢されているから、指詰めが生じた場合にも引戸扉から受ける衝撃が弾性部材によって吸収され、引戸扉の戸先部分に指詰めパッキンを配設しにくいタイプの引戸扉においても、指詰め時の怪我を最小限に抑えることができる。
【００１０】
また、弾性部材を、バネ部材及び枢着部材から構成することにより、戸先側竪枠に形成する戸先部分収容空間の入口部分に、バネ部材及び枢着部材から構成した弾性部材を介して蓋を取り付けることによって、引戸扉を取り付ける際に引戸扉で押圧することにより、蓋は枢着部材の軸部を中心に戸先部分収容空間内部に揺動し、引戸扉を走行用レールに載置した後に戸袋側に移行させることで、蓋によって戸先部分収容空間を閉鎖することができる。
【００１１】
また、蓋を、戸先部分収容空間内で、引戸扉の走行方向と平行に移動可能に配設することにより、蓋は弾性部材によって常時は戸先部分収容空間を閉鎖し、引戸扉を取り付ける際に引戸扉で押圧することにより、戸先部分収容空間内に移動し、引戸扉を走行用レールに載置した後に戸袋側に移行させることで、蓋によって戸先部分収容空間を閉鎖することができる。
【発明を実施するための最良の形態】
【００１２】
以下、本発明の引戸装置の実施の形態を、図面に基づいて説明する。なお、従来装置と同様の構造については同一の符号、一連の符号を付し説明を省略する。
【実施例１】
【００１３】
図１〜図２に、本発明の引戸装置の第１実施例を示す。
この引戸装置１は、引戸枠部材２と、引戸枠部材２の一側に形成された戸袋３内に収納される引戸扉４と、戸袋３とより構成される。
引戸扉４の開閉方式は、特に限定されるものではなく、引戸扉４の上面に備えた対をなす前後の吊り車を走行用レール（図示省略）に載置し、通常は走行用レールを閉じ側に向けて傾斜せしめ、引戸扉４の自重によって、又は適宜手段（例えば、レールを床面と平行に取り付け、巻バネを用いて引戸扉４を閉鎖方向に付勢すること等）によって、常時は引戸扉４を閉じ方向に付勢するように構成したり、走行用レールを水平に設け、開閉を人手のみに委ねるように構成したり、引戸枠部材２の下方の床面に敷設した走行用レール上に引戸扉４を載置して引戸扉４を開閉する構成を採用することもできる。
【００１４】
そして、この引戸装置１は、戸先側竪枠２ａに引戸扉４の戸先部分が進入する戸先部分収容空間５を形成し、戸先側竪枠２ａに、竪枠の高さ方向全長に亘って、弾性部材１０を介して蓋６を取り付け、この蓋６によって戸先部分収容空間５の入口５ａを閉鎖するようにしている。
【００１５】
弾性部材１０は、戸先部分収容空間５の入口５ａを閉鎖するように蓋６を付勢できるものである限りにおいて、その構成や材料は特に限定されるものではないが、例えば、図２に示すように、戸先側竪枠２ａの内面に固定したバネ蝶板１１とすることができる。
このバネ蝶板１１は、枢着部材としての蝶板にバネ部材を組み込んでなるもので、羽根部分が略９０度（直角）に開いた形状で、羽根部分を押圧することによってその角度が略９０度から略０度になるまで変化するようになっている。
なお、弾性部材１０には、図３に示す第１実施例の変形例のように、枢着部材としての蝶板１１ａとバネ部材１１ｂとを組み合わせたものを用いることもできる。
【００１６】
そして、蓋６は、バネ蝶板１１の戸先側竪枠２ａの内面に固定していない羽根部分に取り付け、常時は、戸先部分収容空間５の入口５ａを閉鎖するようにしている。
また、蓋６は、本実施例のように、引戸扉４の戸先部分４ａにパッキンを配設している場合には、パッキンの形状に沿うようなＶ溝を形成することが好ましいが、戸先部分４ａにパッキンを配設していない引戸扉４の場合には、平板状とすることもできる。
なお、本実施例においては、蓋６の閉鎖位置を、バネ蝶板１１を取り付けていない側の戸先側竪枠２ａの端縁を延設してストッパとすることにより、規定するようにしているが、バネ蝶板１１の開く角度によって規定することもできる。
【００１７】
そして、引戸扉４の取り付けに際しては、まず、引戸扉４の戸先部分４ａを蓋６に当接させるとともに、戸尻部分４ｂが方立２ｂに干渉しないように位置させる（図２（ａ）参照）。
その後、バネ蝶板１１の付勢力に抗して、引戸扉４の戸先部分４ａを戸先部分収容空間５内に移動させる（図２（ｂ）参照）。
この状態で、引戸扉４の戸尻部分４ｂは、方立２ｂに干渉することなく引戸扉４を引戸枠部材２内に進入させることができる（図２（ｃ）参照）。
そして、引戸扉４を走行用レール（図示省略）に載置した後、引戸扉４を戸袋３側に移動させ、バネ蝶板１１の付勢力によって、蓋６は戸先部分収容空間５の入口５ａを閉鎖する。
【実施例２】
【００１８】
図４に、本発明の引戸装置の第２実施例を示す。
この引戸装置１は、弾性部材１０と蓋７との構造以外は実施例１と同様であり、その説明を省略する。
【００１９】
弾性部材１０は、戸先側竪枠２ａの内部に配設されるもので、蓋７が、戸先部分収容空間５内で、引戸扉４の走行方向と平行に移動可能となるように構成する。
【００２０】
弾性部材１０は、例えば、図４に示すように、コイルバネ１２を利用することができ、その一端を戸先部分収容空間５内に、他端を蓋７の内面に取り付け、常時は、蓋７を戸先部分収容空間５の入口５ａに位置するように付勢する。この際、コイルバネ１２は竪枠の全長に対して略等間隔に数カ所配設することが好ましい。
なお、本実施例においては、蓋７の閉鎖位置を、戸先側竪枠２ａの端縁を延設してストッパとすることにより、規定するようにしているが、負荷がかかっていない場合のコイルバネ１２の長さによって規定することもできる。
【００２１】
また、弾性部材１０には、コイルバネ１２以外に、板バネや低反発ゴム等を利用することもできる。
【００２２】
そして、引戸扉４の取り付けに際しては、実施例１と同様、まず、引戸扉４の戸先部分４ａを蓋７に当接させるとともに、戸尻部分４ｂが方立２ｂに干渉しないように位置させる（図４（ａ）参照）。
その後、コイルバネ１２の付勢力に抗して、引戸扉４の戸先部分４ａを戸先部分収容空間５内に移動させる（図４（ｂ）参照）。
この状態で、引戸扉４の戸尻部分４ｂは、方立２ｂに干渉することなく引戸扉４を引戸枠部材２内に進入させることができる（図４（ｃ）参照）。
そして、引戸扉４を走行用レール（図示省略）に載置した後、引戸扉４を戸袋３側に移動させ、コイルバネ１２の付勢力によって、蓋７は戸先部分収容空間５の入口５ａを閉鎖する。
【００２３】
以上、本発明の引戸装置について、その実施例に基づいて説明したが、本発明は上記実施例に記載した構成に限定されるものではなく、その趣旨を逸脱しない範囲において適宜その構成を変更することができるものである。
【産業上の利用可能性】
【００２４】
本発明の引戸装置は、戸先部分収容空間の入口を閉鎖する蓋を弾性部材を介して取り付け、引戸扉の取り付けの容易化と指詰め時の怪我の防止を図ることができるという特性を有していることから、一般建造物に適用することができるほか、老健施設において、特に好適に用いることができる。
【図面の簡単な説明】
【００２５】
【図１】本発明の引戸装置の第１実施例を示す閉鎖位置での正面図である。
【図２】同引戸装置の取り付け要領の説明図で、（ａ）は取り付け初期状態を、（ｂ）は戸先部分を戸先部分収容空間内に進入させた状態を、（ｃ）は引戸扉全体を引戸枠部材内に取り付けた状態を、（ｄ）は取り付け完了状態を、それぞれ示す。
【図３】本発明の引戸装置の第１実施例の変形例を示す閉鎖位置での平面断面図である。
【図４】本発明の引戸装置の第２実施例を示す取り付け要領の説明図で、（ａ）は取り付け初期状態を、（ｂ）は戸先部分を戸先部分収容空間内に進入させた状態を、（ｃ）は引戸扉全体を引戸枠部材内に取り付けた状態を、（ｄ）は取り付け完了状態を、それぞれ示す。
【図５】従来の引戸装置を示す閉鎖位置での正面図である。
【図６】従来の引戸装置の取り付け方法を示す一部断面の平面図である。
【符号の説明】
【００２６】
１    引戸装置
２    引戸枠部材
２ａ  戸先側竪枠
２ｂ  方立
４    引戸扉
６    蓋
７    蓋
１０  弾性部材
１１  バネ蝶板
１２  コイルバネ
【図１】
2008081987.tif 000003
【図２】
2008081987.tif 000004
【図３】
2008081987.tif 000005
【図４】
2008081987.tif 000006
【図５】
2008081987.tif 000007
【図６】
2008081987.tif 000008